(57)【特許請求の範囲】
【請求項１】
サッシ戸を戸先框及び召合框と，中間連結枠を介してこれら框間に回動自在に設置した仕切パネルによって折畳み可能に構成し，サッシ枠の上下枠に設置したガイドレールにサッシ戸の上記戸先框及び召合框を常時係合するとともに上記中間連結枠に配置したクレモン機構のハンドル操作によって中間連結枠の上下端を上記ガイドレール又はこれに平行に設置したガイドレールにその長手方向中間位置で係脱自在に係合することによって中間連結枠を係合した状態のサッシ戸の引き違い開閉とその係合を解除した状態のサッシ戸の折畳み開閉の双方を自在としたサッシにおいて，上記中間連結枠のガイドレールに対する係脱自在の係合を上記クレモン機構におけるロッド先端に設置した上下のガイドローラーを上下相反方向に突没昇降することによって行うとともに上記ロッドと上下のガイドローラーとの間に付勢手段を設置し該付勢手段によって該上下のガイドローラーをそれぞれ突出方向に付勢状態としてなることを特徴とする引き違い折畳み自在のサッシ。
【請求項２】
サッシ戸を戸先框及び召合框と，中間連結枠を介してこれら框間に回動自在に設置した仕切パネルによって折畳み可能に構成し，サッシ枠の上下枠に設置したガイドレールにサッシ戸の上記戸先框及び召合框を常時係合するとともに上記中間連結枠に配置したクレモン機構のハンドル操作によって中間連結枠の上下端を上記ガイドレール又はこれに平行に設置したガイドレールにその長手方向中間位置で係脱自在に係合することによって中間連結枠を係合した状態のサッシ戸の引き違い開閉とその係合を解除した状態のサッシ戸の折畳み開閉の双方を自在としたサッシにおいて，上記中間連結枠のガイドレールに対する係脱自在の係合を上記クレモン機構におけるロッド先端に設置した上端のスラシと下端のガイドローラーを上下相反方向に突没昇降することによって行うとともに上記ロッドと下端のガイドローラーとの間に付勢手段を設置し該付勢手段によって該下端のガイドローラーをそれぞれ突出方向に付勢状態とするとともに上記付勢手段をサッシ戸の自重を受けることによって上端のスラシが上枠のガイドレールに遊嵌状に係合する程度の付勢力を備えて上記下端のガイドローラーを付勢状態としてなることを特徴とする引き違い折畳み自在のサッシ。
【請求項３】
上記付勢手段を，上記ロッドの先端に配置したコイルスプリングと，上記ロッドの先端に配置し該コイルスプリングによって付勢した中間連結枠に上下方向スライド自在のローラー支持ブロックとを備えて構成し，該ローラー支持ブロックの付勢によって該ローラー支持ブロックに固定したガイドローラーを付勢状態としてなることを特徴とする請求項１又は２に記載の引き違い折畳み自在のサッシ。
【発明の詳細な説明】
【０００１】
【発明の属する技術分野】
本発明は，引き違い開閉及び折畳み開閉の双方を選択的になし得るようにした引き違い折畳み開閉自在のサッシに関する。
【０００２】
【従来の技術及び発明が解決しようとする課題】
本発明者は，サッシ戸を戸先框及び召合框と，中間連結枠を介してこれら框間に回動自在に設置した仕切パネルによって折畳み可能に構成し，サッシ枠の上下枠に設置したガイドレールにサッシ戸の上記戸先框及び召合框を常時係合するとともに上記中間連結枠に配置したクレモン機構によって該中間連結枠の上下を上記ガイドレールに係脱自在に係合することによって該中間連結枠を係合した状態のサッシ戸の引き違い開閉とその係合を解除した状態のサッシ戸の折畳み開閉の双方を自在としたサッシを提案済みである。
【０００３】
この場合，引き違い開閉と折畳み開閉の２種類の開閉を選択的になし得るようにすることができ，引き違いサッシとしての気密性等のサッシ性能を確保し得るとともにサッシ戸をガイドレール長手方向任意の位置で折畳み開成して，サッシ戸を折畳み開成することによって窓開口を全開するフルオープンのサッシとすることが可能となるが，一方で中間連結枠のガイドレールに対する係合に遊びが生じることがあり，この遊びが生じるとサッシ戸の閉成時に中間連結枠が幾分なりとも前後に揺動する可能性が残り，特に風圧等の外力をサッシ戸が受けると揺動音を発生したり，揺動により意図した気密性が損なわれる可能性もある。
【０００４】
本発明はかかる事情に鑑みてなされたもので，その解決課題とするところは，上記中間連結枠を係脱自在に係合することによる中間連結枠の揺動可能性を可及的に解消し，その揺動音発生や気密性低下を防止し得るようにした引き違い折畳み開閉自在のサッシを提供するにある。
【０００５】
【課題を解決するための手段】
上記課題に沿って請求項１に記載の発明は，上下枠のガイドレールに対する中間連結枠の係脱自在の係合を，該中間連結枠の上下端に設置した上下のガイドローラーによって行なってクレモン機構の操作によってその係合解除を行なうようにするとともにクレモン機構と上下のガイドローラーとの間に付勢手段を配置し，該付勢手段によって上下のガイドローラーをそれぞれ上下相反方向の各ガイドレール側に付勢し，該付勢手段の付勢によって中間連結枠のガイドレールへの係合をガイドレール間で突っ張り状の係合とし，これによってサッシ戸を閉成したときに中間連結枠が揺動することなくガイドレールに対して確実に保持されるようにして，中間連結枠の揺動可能性を可及的に解消し，その揺動音発生や気密性低下を防止し得るようにするとともに上記突っ張り状の係合とするも，ガイドレールに対してガイドローラーが転動することによってサッシ戸のガイドレール長手方向への移動を妨げることなく，サッシ戸の引き違い開閉をスムーズになし得るようにする一方，ハンドル操作によってクレモン機構をローラー支持ブロック引き下げ方向に作動することによってガイドローラーのガイドレールに対する係合を解除し，ヒンジの回動によって中間連結枠を上下枠から室外側に脱出するようにすることによってその折畳み開閉をスムーズ且つ確実になし得るようにしたものであって，これを，サッシ戸を戸先框及び召合框と，中間連結枠を介してこれら框間に回動自在に設置した仕切パネルによって折畳み可能に構成し，サッシ枠の上下枠に設置したガイドレールにサッシ戸の上記戸先框及び召合框を常時係合するとともに上記中間連結枠に配置したクレモン機構のハンドル操作によって中間連結枠の上下端を上記ガイドレール又はこれに平行に設置したガイドレールにその長手方向中間位置で係脱自在に係合することによって中間連結枠を係合した状態のサッシ戸の引き違い開閉とその係合を解除した状態のサッシ戸の折畳み開閉の双方を自在としたサッシにおいて，上記中間連結枠のガイドレールに対する係脱自在の係合を上記クレモン機構におけるロッド先端に設置した上下のガイドローラーを上下相反方向に突没昇降することによって行うとともに上記ロッドと上下のガイドローラーとの間に付勢手段を設置し該付勢手段によって該上下のガイドローラーをそれぞれ突出方向に付勢状態としてなることを特徴とする引き違い折畳み自在のサッシとしたものである。
【０００６】
請求項２に記載の発明は，上記上下のガイドローラーに代えて，上端のスラシと下端のガイドローラーを用いるようにしたもので，上下枠のガイドレールに対する中間連結枠の係脱自在の係合を，該中間連結枠の上端に設置したスラシ及び下端に設置したガイドローラーによって行なって，同様にクレモン機構の操作によってその係合解除を行なうようにするとともにクレモン機構と上記下端のガイドローラーとの間に付勢手段を配置し，該付勢手段によって下端のガイドローラーを下枠のガイドレール側に付勢するとともに該付勢手段がサッシ戸の自重を受けることによって該自重負荷状態で上端のスラシがガイドレールに遊嵌状の係合となる程度の付勢を行ない，中間連結枠の上記上下枠，特にそのガイドレールへの係合をガイドレール間で戸先框や召合框の標準的な定位置の保持とすることによって，サッシ戸を閉成したときに同じく中間連結枠が揺動することなくガイドレールに対して確実に保持されるようになり，中間連結枠の揺動可能性を可及的に解消し，その揺動音発生や気密性低下を防止し得るようにするとともに上記定位置の保持を弾発的係合とするも，スラシがガイドレールに対して強圧状に圧着することによる摩擦抵抗の発生を防止し，サッシ戸の引き違い開閉をスムーズになし得るようにする一方，ハンドル操作によってクレモン機構をローラー支持ブロック引き下げ方向に作動することによって上端のスラシ及び下端のガイドローラーのガイドレールに対する係合を解除し，ヒンジの回動によって中間連結枠を上下枠から室外側に脱出するようにすることによってその折畳み開閉をスムーズ且つ確実になし得るようにしたものであって，これを，サッシ戸を戸先框及び召合框と，中間連結枠を介してこれら框間に回動自在に設置した仕切パネルによって折畳み可能に構成し，サッシ枠の上下枠に設置したガイドレールにサッシ戸の上記戸先框及び召合框を常時係合するとともに上記中間連結枠に配置したクレモン機構のハンドル操作によって中間連結枠の上下端を上記ガイドレール又はこれに平行に設置したガイドレールにその長手方向中間位置で係脱自在に係合することによって中間連結枠を係合した状態のサッシ戸の引き違い開閉とその係合を解除した状態のサッシ戸の折畳み開閉の双方を自在としたサッシにおいて，上記中間連結枠のガイドレールに対する係脱自在の係合を上記クレモン機構におけるロッド先端に設置した上端のスラシと下端のガイドローラーを上下相反方向に突没昇降することによって行うとともに上記ロッドと下端のガイドローラーとの間に付勢手段を設置し該付勢手段によって該下端のガイドローラーをそれぞれ突出方向に付勢状態とするとともに上記付勢手段をサッシ戸の自重を受けることによって上端のスラシが上枠のガイドレールに遊嵌状に係合する程度の付勢力を備えて上記下端のガイドローラーを付勢状態としてなることを特徴とする引き違い折畳み自在のサッシとしたものである。
【０００７】
請求項３に記載の発明は，それぞれ中間連結枠におけるガイドローラーの付勢を簡易且つ確実に行なう好ましい形態ものとするように，これを，上記付勢手段を，上記ロッドの先端に配置したコイルスプリングと，上記ロッドの先端に配置し該コイルスプリングによって付勢した中間連結枠に上下方向スライド自在のローラー支持ブロックとを備えて構成し，該ローラー支持ブロックの付勢によって該ローラー支持ブロックに固定したガイドローラーを付勢状態としてなることを特徴とする請求項１又は２に記載の引き違い折畳み自在のサッシとしたものである。
【０００８】
本発明はこれらをそれぞれ発明の要旨として上記課題解決の手段としたものである。
【０００９】
【発明の実施の形態】
以下図面の例に従って本発明を更に具体的に説明すれば，図１乃至図７において，Ａは引き違い折畳み開閉自在のサッシであり，該サッシＡは，サッシ戸１０を戸先框１１及び召合框１２と，中間連結枠１７を介してこれら框１１，１２間に回動自在に設置した仕切パネル１５によって折畳み可能に構成し，サッシ枠３０の上下枠３１，３２に設置したガイドレール３３にサッシ戸１０の上記戸先框１１及び召合框１２を常時係合するとともに上記中間連結枠１７に配置したクレモン機構２２のハンドル２６操作によって中間連結枠１７の上下端を上記ガイドレール３３ａ又はこれに平行に設置したガイドレール３３ｂにその長手方向中間位置で係脱自在に係合することによって中間連結枠１７を係合した状態のサッシ戸１０の引き違い開閉とその係合を解除した状態のサッシ戸１０の折畳み開閉の双方を自在としたものとしてあり，本例にあって該サッシＡは，これをサッシ枠３０に２枚のサッシ戸１０を引き違い開閉自在に配置して，各サッシ戸１０を上記折畳み開閉可能とするように構成した，例えばアルミ製又はアルミと樹脂，木材等の複合材料製の肘掛窓乃至テラス窓用サッシとして構成したものとしてある。
【００１０】
本例にあってサッシ戸１０は，戸先框１１，召合框１２，同幅複数，例えば同幅２枚の仕切パネル１５及び中間連結枠１７とを備え，戸先框１１と召合框１２を幅方向両端に配置し，これらの間に仕切パネル１５を回動自在にヒンジ２０連結するとともに仕切パネル１５間に中間連結枠１７を同じく回動自在にヒンジ２０連結して構成し，このとき上記２枚のうち室外側のサッシ戸１０の高さを高く，室内側のサッシ戸１０の高さを低く構成してあり，また本例の上記ヒンジ２０連結は，これを，戸先框１１，召合框１２，仕切パネル１５及び中間連結枠１７の連結端部に一体又は一体的に設置した一方の軸受，他方の軸とをそれぞれ１／４円回動自在に嵌合して形成した，連結端部長手方向，即ち上下方向に全長とした，例えばアルミ押出材等によるアルミ等の全面ヒンジによるものとし，これによりヒンジ２０連結を行いながらも，該ヒンジ２０部分の気密性を高度に確保して，サッシ戸１０の気密性を損なわないようにしてある。
【００１１】
本例のサッシ戸１０は，上記戸先框１１及び召合框１２の上端に上吊りローラー１３を配置し，下端に下部スライダー１４を配置し，該上吊りローラー１３及び下部スライダー１４によってガイドレール３３に対する戸先框１１と召合框１２の常時係合を行なう一方，上記中間連結枠１７のガイドレール３３に対する係脱自在の係合を上記クレモン機構２２におけるロッド２５先端に設置した上下のガイドローラー１８，本例にあっては溝戸車によるガイドローラーを上下相反方向に突没昇降することによって行うようにしてあり，これによってサッシ戸１０をサッシ枠３０の上枠３１及び下枠３２のガイドレール３３が案内してその開閉案内を行なうようにしてある。
【００１２】
本例にあってサッシ枠３０は，一般のサッシ枠と同様に上枠３１，下枠３２，左右の縦枠３４を枠組みして矩形の開口を形成し，上枠３１及び下枠３２に各サッシ戸１０用にガイドレール３３を配置したものとしてあり，該ガイドレール３３は，上枠３１において上記上吊りローラー１３の転動走行用の上吊りレール３３ａと該上吊りレール３３ａに平行にしてその下位に配置した上記中間連結枠１７上端のガイドローラー１８転動走行用下向きの突出レール３３ｂとし，下枠３２において戸先框１１，召合框１２の下部スライダー１４及び中間連結枠１７の下端の各ガイドローラー１８に共通にして上記上枠３１の突出レール３１ａと対向するように配置した下部スライダー１４係合用及びガイドローラー１８転動走行用上向きの突出レール３３ｂとしてあり，該サッシ枠３０における上枠３１の上吊りレール３３ａと下枠３２の突出レール３３ｂに戸先框１１と召合框１２上端の上吊りローラー１３及び下端の下部スライダー１４を常時係合するとともに上枠３１及び下枠３２の突出レール３３ｂに中間連結枠１７のガイドローラー１８をそれぞれ転動自在にして係脱自在に係合してサッシ戸１０を上吊り装着し，該中間連結枠１７におけるガイドローラー１８のガイドレール３３ｂ係合状態でサッシ戸１０のガイドレール３３長手方向への引き違い開閉を自在とする一方，上記クレモン機構２２による該中間連結枠１７における上下端のガイドローラー１８の相反方向引寄せによる係合解除によって該中間連結枠１７をガイドレール３３の室外側交差方向に脱出させ，サッシ戸１０の折畳み開閉を自在とするようにしてある。
【００１３】
このとき中間連結枠１７におけるクレモン機構２２の上記ロッド２５と上下のガイドローラー１８との間に付勢手段を設置し該付勢手段によって該上下のガイドローラー１８をそれぞれ突出方向に付勢状態としたものとしてあり，本例にあって上記付勢手段は，これを，上記ロッド２５の先端に配置したコイルスプリング２７と，上記ロッド２５の先端に配置し該コイルスプリングによって付勢した中間連結枠１７に上下方向スライド自在のローラー支持ブロック２８とを備えて構成し，該ローラー支持ブロック２８の付勢によって該ローラー支持ブロック２８に固定したガイドローラー１８を付勢状態としたものとしてある。
【００１４】
即ち本例にあってクレモン機構２２は，中間連結枠１７の長手方向中間に配置したピニオン２３と，該ピニオン２３にこれとラックピニオンを構成するように配置したラック２４を噛合配置し，該ラックピニオンにおけるピニオン２３の回転によって中間連結枠１７長手方向にして上下相反方向に移動する上下一対のロッド２５とを備えた常法のものを用いて，これを中間連結枠１７の中空部内に内蔵し，中間連結枠１７の上下中間位置にして室内側に設置したハンドル２６の回転操作によって回転軸を介して上記ピニオン２３を回転することによってその作動を行なうようにしてあり，このとき本例にあって中間連結枠１７の中空部上下端には上記ローラー支持ブロック２８を上下スライド自在に嵌挿するとともに該ローラー支持ブロック２８に上記上下のガイドローラー１８を固定し，これを中間連結枠１７の上下端から相反方向に突没移動することによってガイドレール３３ｂに対する係合と係合解除とを行なうようにしてある。
【００１５】
本例の付勢手段におけるコイルスプリング２７は，例えば上記ロッド２５の先端にこれを巻設配置し，その一端のロッド２５への固定状態で他端を上記ローラー支持ブロック２８に固定し，上記上下スライド自在のローラー支持ブロック２８を中間連結枠１７長手方向外方に押圧するように付勢して，例えば中間連結枠１７に配置したストッパーによってその脱出を防止しながら該ローラー支持ブロック２８を付勢状態とするようにし，これによってこれらローラー支持ブロック２８に固定した上下のガイドローラー１８が上下枠３１，３２のガイドレール３３ｂに弾発的に係合し，中間連結枠１７上下端のガイドレール３３に対する係合をガイドレール３３ｂ間突っ張り状の係合とするようにしてある。
【００１６】
該付勢手段による付勢によって，中間連結枠１７の上記上下枠３１，３２，特にそのガイドレール３３への係合をガイドレール３３ｂ間で突っ張り状の係合とすることによって，サッシ戸１０を閉成したときに中間連結枠１７が揺動することなくガイドレール３３に対して確実に保持されるようにして，中間連結枠１７の揺動可能性を可及的に解消し，その揺動音発生や気密性低下を防止し得るようにするとともに上記突っ張り状の係合とするも，ガイドレール３３に対してガイドローラー１８が転動することによってサッシ戸１０のガイドレール３３長手方向への移動を妨げることなく，サッシ戸１０の引き違い開閉をスムーズになし得るようにする一方，ハンドル２６操作によってクレモン機構２２をローラー支持ブロック２８引き下げ方向に作動することによってガイドローラー１８のガイドレール３３ｂに対する係合を解除し，ヒンジ２０の回動によって中間連結枠１７を上下枠から室外側に脱出するようにすることによってその折畳み開閉をスムーズ且つ確実になし得るようにしてある。
【００１７】
図８乃至図１１は他の例を示すもので，本例にあっては上記例における上下のガイドローラー１８に代えて，上端のスラシ１９と下端のガイドローラー１８を中間連結枠１７に用いるようにした例であり，本例にあって上記中間連結枠１７のガイドレール３３（３３ｂ）に対する係脱自在の係合を上記クレモン機構２２におけるロッド２５先端に設置した上端のスラシ１９と下端のガイドローラー１８を上下相反方向に突没昇降することによって行うとともに上記ロッド２５と下端のガイドローラー１８との間に付勢手段を設置し該付勢手段によって該下端のガイドローラー１８をそれぞれ突出方向に付勢状態とするとともに上記付勢手段をサッシ戸１０の自重を受けることによって上端のスラシ１９が上枠３１のガイドレール３３（３３ｂ）に遊嵌状に係合する程度の付勢力を備えて上記下端のガイドローラー１８を付勢状態としたものとしてある。
【００１８】
即ち本例にあってサッシＡは，一般の引き違いサッシと同様にサッシ枠３０の上下枠３１，３２におけるガイドレール３３を上下枠３１，３２から対向方向に突出した突出レール３３ｂによるものとする一方，戸先框１１及び召合框１２の上端にスラシ１９を，下端に溝戸車によるガイドローラー１８をそれぞれ設置し，スラシ１９を上枠３１のガイドレール３３（３３ｂ）にこれを被嵌状に受け入れ，ガイドローラー１８を下枠３２のガイドレール３３（３３ｂ）に転動自在に載置することによってその戸先框１１と召合框１２の係合を行なうようにしてあり，このとき中間連結枠１７の上下端にも同様に上端に，上下方向スライド自在のブロック状に構成したスラシ１９を，下端に同じく溝戸車によるガイドローラー１８を設置し，これら中間連結枠１７のスラシ１９及びガイドローラー１８を，戸先框１１及び召合框１２と同様にガイドレール３３に対して上記クレモン機構２２によって係脱自在に係合することによって，中間連結枠１７を係合した状態のサッシ戸１０の引き違い開閉とその係合を解除した状態のサッシ戸１０の折畳み開閉の双方を自在とするようにしてある。
【００１９】
中間連結枠１７は同じく付勢手段によって下端のガイドローラー１８を突出方向に付勢してあり，その付勢手段は，上記と同じくロッド２５の先端に配置したコイルスプリング２７と，上記ロッド２５の先端に配置し該コイルスプリング２７によって付勢した中間連結枠１７に上下方向スライド自在のローラー支持ブロック２８とを備えて構成し，該ローラー支持ブロック２８の付勢によって該ローラー支持ブロック２８に固定したガイドローラー１８を付勢状態としたものとしてあるが，このときコイルスプリング２７の付勢力は，これが強すぎることによって，スラシ１９が上枠３１のガイドレール３３に強圧状に圧着する結果，スラシ１９とガイドレール３３との摩擦抵抗が大きくなって，サッシ戸１０のスムーズな引き違い開閉を阻害することのないように，サッシ戸１０の自重を考慮し，該自重を受けた状態で中間連結枠１７が上下枠３１，３２の標準的な定位置に弾発的に保持されるようにして，スラシ１９が上枠３１のガイドレール３３に対して，付勢手段を用いない戸先框１１及び召合框１２におけると同程度の溝係合による係合をなし得るようにしてある。
【００２０】
本例にあっても中間連結枠１７の上記上下枠３１，３２，特にそのガイドレール３３への係合をガイドレール３３間で戸先框１１や召合框１２の標準的な定位置の保持とすることによって，サッシ戸１０を閉成したときに同じく中間連結枠１７が揺動することなくガイドレール３３に対して確実に保持されるようになり，中間連結枠１７の揺動可能性を可及的に解消し，その揺動音発生や気密性低下を防止し得るようにするとともに上記定位置の保持を弾発的係合とするも，スラシ１９がガイドレール３３に対して強圧状に圧着することによる摩擦抵抗の発生を防止し，サッシ戸１０の引き違い開閉をスムーズになし得るようにする一方，ハンドル２６操作によってクレモン機構２２をローラー支持ブロック２８引き下げ方向に作動することによって上端のスラシ１９及び下端のガイドローラー１８のガイドレール３３に対する係合を解除し，ヒンジ２０の回動によって中間連結枠１７を上下枠３１，３２から室外側に脱出するようにすることによってその折畳み開閉をスムーズ且つ確実になし得るようにしてある。
【００２１】
図８乃至図１１の例におけるその余は上記と基本的に変らないので，同一符号を付してその説明を省略する。
【００２２】
図中１６は仕切パネル１５のガラス，２１は召合框１２間に設置したクレセント，２６ａはハンドル２６のケース，２６ｂは同じくハンドル２６のリングハンドル，３５は気密材，３６は戸先框１１に設置した戸当りブロック，３７は上下枠３１，３２の召合框１２位置に設置した風除け板を示す。
【００２３】
図示した例は以上のとおりとしたが，本発明の実施に当って，サッシ戸，その戸先框，召合框，中間連結枠，ガイドローラー，スラシ，クレモン機構，付勢手段，サッシ枠，その上下枠，ガイドレール，必要に応じて使用するコイルスプリング，ローラー支持ブロック等の具体的形状，構造，材質，これらの関係，これらに対する付加等は，上記発明の要旨に反しない限り様々な形態のものとすることができる。
【００２４】
【発明の効果】
本発明は以上のとおりに構成したから，請求項１に記載の発明は，上下枠のガイドレールに対する中間連結枠の係脱自在の係合を，該中間連結枠の上下端に設置した上下のガイドローラーによって行なってクレモン機構の操作によってその係合解除を行なうようにするとともにクレモン機構と上下のガイドローラーとの間に付勢手段を配置し，該付勢手段によって上下のガイドローラーをそれぞれ上下相反方向の各ガイドレール側に付勢し，該付勢手段の付勢によって中間連結枠のガイドレールへの係合をガイドレール間で突っ張り状の係合とし，これによってサッシ戸を閉成したときに中間連結枠が揺動することなくガイドレールに対して確実に保持されるようにして，中間連結枠の揺動可能性を可及的に解消し，その揺動音発生や気密性低下を防止し得るようにするとともに上記突っ張り状の係合とするも，ガイドレールに対してガイドローラーが転動することによってサッシ戸のガイドレール長手方向への移動を妨げることなく，サッシ戸の引き違い開閉をスムーズになし得るようにする一方，ハンドル操作によってクレモン機構をローラー支持ブロック引き下げ方向に作動することによってガイドローラーのガイドレールに対する係合を解除し，ヒンジの回動によって中間連結枠を上下枠から室外側に脱出するようにすることによってその折畳み開閉をスムーズ且つ確実になし得るようにした引き違い折畳み開閉自在のサッシを提供することができる。
【００２５】
請求項２に記載の発明は，上下枠のガイドレールに対する中間連結枠の係脱自在の係合を，該中間連結枠の上端に設置したスラシ及び下端に設置したガイドローラーによって行なって，同様にクレモン機構の操作によってその係合解除を行なうようにするとともにクレモン機構と上記下端のガイドローラーとの間に付勢手段を配置し，該付勢手段によって下端のガイドローラーを下枠のガイドレール側に付勢するとともに該付勢手段がサッシ戸の自重を受けることによって該自重負荷状態で上端のスラシがガイドレールに遊嵌状の係合となる程度の付勢を行ない，中間連結枠の上記上下枠，特にそのガイドレールへの係合をガイドレール間で戸先框や召合框の標準的な定位置の保持とすることによって，サッシ戸を閉成したときに同じく中間連結枠が揺動することなくガイドレールに対して確実に保持されるようになり，中間連結枠の揺動可能性を可及的に解消し，その揺動音発生や気密性低下を防止し得るようにするとともに上記定位置の保持を弾発的係合とするも，スラシがガイドレールに対して強圧状に圧着することによる摩擦抵抗の発生を防止し，サッシ戸の引き違い開閉をスムーズになし得るようにする一方，ハンドル操作によってクレモン機構をローラー支持ブロック引き下げ方向に作動することによって上端のスラシ及び下端のガイドローラーのガイドレールに対する係合を解除し，ヒンジの回動によって中間連結枠を上下枠から室外側に脱出するようにすることによってその折畳み開閉をスムーズ且つ確実になし得るようにした引き違い折畳み開閉自在のサッシを提供することができる。
【００２６】
請求項３に記載の発明は，それぞれ中間連結枠におけるガイドローラーの付勢を簡易且つ確実に行なう好ましい形態ものとすることができる。
【図面の簡単な説明】
【図１】サッシの正面図である。
【図２】サッシの縦断面図である。
【図３】サッシ戸における中間連結枠部分の構造を示す縦断面図である。
【図４】サッシの横断面図である。
【図５】サッシ戸を折畳んだ状態を示すサッシの横断面図である。
【図６】ハンドル部分の正面図である。
【図７】ハンドルの回転軸とクレモン機構のロッドとの関係を示す断面図である。
【図８】他の例に係るサッシの縦断面図である。
【図９】サッシ戸に置ける中間連結枠部分の構造を示す縦断面図である。
【図１０】サッシの横断面図である。
【図１１】サッシ戸を折畳んだ状態を示すサッシの横断面図である。
【符号の説明】
Ａ  サッシ
１０  サッシ戸
１１  戸先框
１２  召合框
１５  仕切パネル
１７  中間連結枠
１８  ガイドローラー
１９  スラシ
２２  クレモン機構
２７  スプリング
３０  サッシ枠
３１  上枠
３２  下枠
３３  ガイドレール
３３ａ  上吊りレール
３３ｂ  突出レール
【図１】
0003875865.tif 000002
【図２】
0003875865.tif 000003
【図３】
0003875865.tif 000004
【図４】
0003875865.tif 000005
【図５】
0003875865.tif 000006
【図６】
0003875865.tif 000007
【図７】
0003875865.tif 000008
【図８】
0003875865.tif 000009
【図９】
0003875865.tif 000010
【図１０】
0003875865.tif 000011
【図１１】
0003875865.tif 000012